(57)【要約】【課題】リモコンから出力される音声報知を使用者にとって聞き取り易くすることができるリモコン装置及びリモコンシステムを提供する。【解決手段】給湯器４０を含む装置を遠隔操作する機能を有して、音声信号を符号化した音声データ（ＶＡ＿ｄａｔ）を記憶する音声メモリ２１と、音声データ（ＶＡ＿ｄａｔ）から音声信号を再生する音声再生回路２２と、該音声再生手段２２により再生される音声信号を増幅して出力するスピーカ２３とを備えたメインリモコン１において、音声再生回路２２による音声信号の再生処理において、所定の変更条件に従って、音声信号の再生速度と音声データ中の文節間のポーズ時間とのうちの少なくともいずれか一方の変更を指示する音声変更指示手段３０と、所定周波数以上の音声信号を増幅するレベルを指示する高域増幅指示手段３１とを備える。【選択図】  図２
2004347799.tif 000002
【特許請求の範囲】
【請求項１】
少なくとも給湯器を含む装置を遠隔操作する機能を有して、音声信号を符号化した音声データを記憶した記憶手段と、該音声データから音声信号を再生する音声再生手段と、該音声再生手段により再生される音声信号を増幅して出力する音声出力手段とを備えたリモコン装置において、
前記音声再生手段による音声信号の再生処理において、所定の変更条件に従って、音声信号の再生速度と音声データ中の文節間のポーズ時間とのうちの少なくともいずれか一方を変更する音声変更処理を実行する音声変更手段を備えたことを特徴とするリモコン装置。
【請求項２】
使用者の操作に応じて、前記変更条件を設定する変更条件設定手段を備えたことを特徴とする請求項１記載のリモコン装置。
【請求項３】
少なくとも給湯器を含む装置を遠隔操作する機能を有して、音声信号を符号化した音声データを記憶した記憶手段と、該音声データから音声信号を再生する音声再生手段と、該音声再生手段により再生される音声信号を増幅して出力する音声出力手段とを備えたリモコン装置において、
前記音声出力手段による音声信号の増幅処理において、所定周波数以上の音声信号の出力レベルを、該所定周波数未満の音声信号の出力レベルよりも高くする高域増幅処理を実行する高域増幅手段を備えたことを特徴とするリモコン装置。
【請求項４】
使用者の操作に応じて、前記高域増幅処理における前記所定周波数以上の音声信号の出力レベルを設定する高域増幅レベル設定手段を備えたことを特徴とする請求項３記載のリモコン装置。
【請求項５】
音声信号を符号化した音声データを記憶した記憶手段と、
少なくとも給湯器を含む装置を遠隔操作する機能を有して互いに通信可能に構成され、音声信号を符号化した音声データから音声信号を再生する音声再生手段と、該音声再生手段により再生される音声信号を増幅して出力する音声出力手段とを、それぞれ有する第１のリモコン及び第２のリモコンとを備えたリモコンシステムにおいて、
前記第１のリモコンは、前記記憶手段に記憶された音声データに対する前記音声再生手段による音声信号の再生処理において、所定の変更条件に従って、音声信号の再生速度と音声データ中の文節間のポーズ時間とのうちの少なくともいずれか一方を変更する音声変更処理を実行する音声変更手段と、該音声変更手段により変更された音声信号を符号化した変更音声データを前記第２のリモコンに送信する変更音声データ送信手段とを備え、
前記第２のリモコンに備えられた前記音声再生手段は、前記変更音声データ送信手段から送信される前記変更音声データを再生することを特徴とするリモコンシステム。
【請求項６】
音声信号を符号化した音声データを記憶した記憶手段と、
少なくとも給湯器を含む装置を遠隔操作する機能を有して互いに通信可能に構成され、前記音声データから音声信号を再生する音声再生手段と、前記音声再生手段による音声信号の再生処理において、所定の変更条件に従って、音声信号の再生速度と音声データ中の文節間のポーズ時間とのうちの少なくともいずれか一方を変更する音声変更処理を実行する音声変更手段と、前記音声再生手段により再生される音声信号を増幅して出力する音声出力手段とを、それぞれ有する第１のリモコン及び第２のリモコンとを備えたリモコンシステムであって、
前記第１のリモコンは、使用者の操作に応じて前記変更条件を設定する第１の変更条件設定手段と、該変更条件を符号化した変更条件データを前記第２のリモコンに送信する変更条件データ送信手段とを備え、
前記第２のリモコンは、前記変更条件データ送信手段から送信される前記変更条件データに基づいて前記変更条件を設定する第２の変更条件設定手段を備えたことを特徴とするリモコンシステム。
【請求項７】
音声信号を符号化した音声データを記憶した記憶手段と、
少なくとも給湯器を含む装置を遠隔操作する機能を有して互いに通信可能に構成され、前記音声データから音声信号を再生する音声再生手段と、前記音声再生手段により再生される音声信号を増幅して出力する音声出力手段と、該音声出力手段による音声信号の増幅処理において、所定周波数以上の音声信号の出力レベルを該所定周波数未満の音声信号の出力レベルよりも高くする高域増幅処理を実行する高域増幅手段とを、それぞれ有する第１のリモコン及び第２のリモコンを備えたリモコンシステムであって、
前記第１のリモコンは、使用者の操作に応じて、前記高域増幅処理における前記所定周波数以上の音声信号の出力レベルを設定する第１の高域増幅レベル設定手段と、該第１の高域増幅レベル設定手段により設定された該出力レベルを符号化した高域出力レベルデータを生成して、前記第２のリモコンに送信する高域出力レベルデータ送信手段とを備え、
前記第２のリモコンは、前記高域出力レベルデータ送信手段から受信した前記高域出力レベルデータに基づいて、前記高域増幅処理における前記所定周波数以上の音声信号の出力レベルを設定する第２の高域増幅レベル設定手段を備えたことを特徴とするリモコンシステム。
【発明の詳細な説明】
【０００１】
【発明の属する技術分野】
本発明は、少なくとも給湯器を含む装置を遠隔操作するリモコン装置に関し、特に音声出力機能を有するリモコン装置に関する。
【０００２】
【従来の技術】
従来より、例えば屋外に設置される給湯器を屋内から遠隔操作するためのリモコンが、浴室や台所に設定されている。そして、かかるリモコンにおいては、給湯器の運転条件や作動状態を表示する表示部が備えられているが、浴槽内に所定量の湯を供給する湯張り運転や浴槽内の湯を所定温度まで加熱する追焚き運転を実行する機能を有する給湯器にあっては、湯張り運転や追焚き運転の終了を音声により報知するものが知られている（特許文献１）。
【０００３】
このように、音声による報知機能を持たせることにより、使用者は表示部を確認することなく湯張り運転や追焚き運転の終了を認識することができるため、使用者の使い勝手が向上する。また、音声により報知する場合、ブザーにより報知する場合のように、ブザーの出力パターンが意味する報知内容を予め使用者が認識しておく必要がない。
【０００４】
しかし、その一方で、音声による報知を行うときには、使用者は音声の内容を聞き取って報知内容を認識する必要があるため、若年層を対象とした一般的な設定により音声を出力すると、聴覚が衰えた高齢者にとっては報知内容が聞き辛くなる場合がある。
【０００５】
【特許文献１】
特開平１１−２６４６１０号公報
【０００６】
【発明が解決しようとする課題】
本発明は上記背景を鑑みてなされたものであり、リモコンから出力される音声による報知を使用者にとって聞き取り易くすることができるリモコン装置及びリモコンシステムを提供することを目的とする。
【０００７】
【課題を解決するための手段】
本発明は上記目的を達成するためになされたものであり、本発明のリモコン装置は、少なくとも給湯器を含む装置を遠隔操作する機能を有して、音声信号を符号化した音声データを記憶する記憶手段と、該音声データから音声信号を再生する音声再生手段と、該音声再生手段により再生される音声信号を増幅して出力する音声出力手段とを備える。
【０００８】
そして、本発明のリモコン装置の第１の態様は、前記音声再生手段による音声信号の再生処理において、所定の変更条件に従って、音声信号の再生速度と音声データ中の文節間のポーズ時間とのうちの少なくともいずれか１つを変更する音声変更処理を実行する音声変更手段を備えたことを特徴とする。
【０００９】
かかる本発明によれば、前記音声変更手段により、音声信号の再生速度と音声データ中の文節間のポーズ時間とのうちの少なくともいずれか一方を変更することによって、前記音声データを高齢者にとって聞き取り易い態様で再生し、前記音声出力手段により出力することができる。
【００１０】
また、前記本発明のリモコン装置の第１の態様において、使用者の操作に応じて、前記変更条件を設定する変更条件設定手段を備えたことを特徴とする。
【００１１】
かかる本発明によれば、前記変更条件設定手段により、使用者は、自身の聴覚や好みに応じて、前記音声出力手段から出力される音声を聞き取り易いものに設定することができる。そして、この場合は、例えば、若年者や高齢者等、予め対象を定めて音声の出力態様を設定した複数のリモコン装置を用意する必要がない。
【００１２】
また、本発明のリモコン装置の第２の態様は、前記音声出力手段による音声信号の増幅処理において、所定周波数以上の音声信号の出力レベルを、該所定周波数未満の音声信号の出力レベルよりも高くする高域増幅処理を実行する高域増幅手段を備えたことを特徴とする。
【００１３】
かかる本発明によれば、一般に、高齢者は、周波数が高い領域の聴力が低下する傾向が見られるため、前記高域増幅手段により、前記所定周波数以上の音声信号の出力レベルを前記所定周波数未満の音声信号の出力レベルよりも高くすることによって、前記音声出力手段から出力される音声を高齢者にとって聞き易いものにすることができる。
【００１４】
また、前記本発明のリモコン装置の第２の態様において、使用者の操作に応じて、前記高域増幅処理における前記所定周波数以上の音声信号の出力レベルを設定する高域増幅レベル設定手段を備えたことを特徴とする。
【００１５】
かかる本発明によれば、高齢の使用者は、前記高域増幅レベル設定手段を操作することにより、自身の聴力や好みに応じて、前記音声出力手段から出力される音声が聞き易くなるように、音声信号の高周波域部分の増幅レベルを設定することができる。
【００１６】
また、本発明のリモコンシステムの第１の態様は、音声信号を符号化した音声データを記憶した記憶手段と、少なくとも給湯器を含む装置を遠隔操作する機能を有して互いに通信可能に構成され、音声信号を符号化した音声データから音声信号を再生する音声再生手段と、該音声再生手段により再生される音声信号を増幅して出力する音声出力手段とを、それぞれ有する第１のリモコン及び第２のリモコンを備えたリモコンシステムに関する。
【００１７】
そして、前記第１のリモコンは、前記記憶手段に記憶された音声データに対する前記音声再生手段による音声信号の再生処理において、所定の変更条件に従って、音声信号の再生速度と音声データ中の文節間のポーズ時間とのうちの少なくともいずれか一方を変更する音声変更処理を実行する音声変更手段と、該音声変更手段により変更された音声信号を符号化した変更音声データを前記第２のリモコンに送信する変更音声データ送信手段とを備え、前記第２のリモコンに備えられた前記音声再生手段は、前記変更音声データ送信手段から送信される前記変更音声データを再生することを特徴とする。
【００１８】
かかる本発明によれば、前記第２のリモコンは、前記第１のリモコンにおいて、前記音声変更手段により変更されて前記変更音声データ送信手段により符合化された前記変更音声データを再生する。そのため、使用者は、前記第２のリモコンに対して前記変更条件を設定する操作をする必要がなく使い勝手が良い。また、前記第２のリモコンには前記音声変更手段を備える必要がないため、前記第２のリモコンのコストを前記第１のリモコンよりも下げることができる。
【００１９】
また、本発明のリモコンシステムの第２の態様は、音声信号を符号化した音声データを記憶した記憶手段と、少なくとも給湯器を含む装置を遠隔操作する機能を有して互いに通信可能に構成され、前記音声データから音声信号を再生する音声再生手段と、前記音声再生手段による音声信号の再生処理において、所定の変更条件に従って、音声信号の再生速度と音声データ中の文節間のポーズ時間とのうちの少なくともいずれか一方を変更する音声変更処理を実行する音声変更手段と、前記音声再生手段により再生される音声信号を増幅して出力する音声出力手段とを、それぞれ有する第１のリモコン及び第２のリモコンとを備えたリモコンシステムに関する。
【００２０】
そして、前記第１のリモコンは、使用者の操作に応じて前記変更条件を設定する第１の変更条件設定手段と、該変更条件を符号化した変更条件データを前記第２のリモコンに送信する変更条件データ送信手段とを備え、前記第２のリモコンは、前記変更条件データ送信手段から送信される前記変更条件データに基づいて前記変更条件を設定する第２の変更条件設定手段を備えたことを特徴とする。
【００２１】
かかる本発明によれば、前記第１のリモコンに備えられた前記第１の変更条件設定手段により設定された変更条件を符号化した前記変更条件データが前記第２のリモコンに送信される。そして、前記第２のリモコンに備えられた前記第２の変更条件設定手段は、前記第１のリモコンから受信した前記変更条件データに基づいて前記変更条件を設定する。そのため、使用者は、前記第２のリモコンに対して前記変更条件を設定する操作をする必要がなく使い勝手が良い。また、前記第２のリモコンには前記変更条件を設定するための操作スイッチ等を設ける必要がないため、前記第２のリモコンのコストを前記第１のリモコンよりも下げることができる。
【００２２】
また、本発明のリモコンシステムの第３の態様は、音声信号を符号化した音声データを記憶した記憶手段と、少なくとも給湯器を含む装置を遠隔操作する機能を有して互いに通信可能に構成され、前記音声データから音声信号を再生する音声再生手段と、前記音声再生手段により再生される音声信号を増幅して出力する音声出力手段と、該音声出力手段による音声信号の増幅処理において、所定周波数以上の音声信号の出力レベルを該所定周波数未満の音声信号の出力レベルよりも高くする高域増幅処理を実行する高域増幅手段とを、それぞれ有する第１のリモコン及び第２のリモコンとを備えたリモコンシステムに関する。
【００２３】
そして、前記第１のリモコンは、使用者の操作に応じて、前記高域増幅処理における前記所定周波数以上の音声信号の出力レベルを設定する第１の高域増幅レベル設定手段と、該第１の高域増幅レベル設定手段により設定された該出力レベルを符号化した高域出力レベルデータを生成して、前記第２のリモコンに送信する高域出力レベルデータ送信手段とを備え、前記第２のリモコンは、前記高域出力レベルデータ送信手段から受信した前記高域出力レベルデータに基づいて、前記高域増幅処理における前記所定周波数以上の音声信号の出力レベルを設定する第２の高域増幅レベル設定手段を備えたことを特徴とする。
【００２４】
かかる本発明によれば、前記第１のリモコンに備えられた前記第１の高域増幅レベル設定手段により設定された出力レベルを符号化した前記高域出力レベルデータが、前記高域出力レベルデータ送信手段により前記第２のリモコンに送信される。そして、前記第２のリモコンに備えられた前記第２の高域増幅レベル設定手段は、前記第１のリモコンから受信した前記高域出力レベルデータに基づいて、前記高域増幅処理における前記所定周波数以上の音声信号の出力レベルを設定する。そのため、使用者は、前記第２のリモコンに対して前記所定周波数以上の音声信号の出力レベルを設定する必要がなく使い勝手が良い。また、前記第２のリモコンには前記所定周波数以上の音声信号の出力レベルを設定するための操作スイッチ等を設ける必要がないため、前記第２のリモコンのコストを前記第１のリモコンよりも下げることができる。
【００２５】
【発明の実施の形態】
本発明の実施の形態について、図１〜図７を参照して説明する。図１は本発明のリモコン装置の外観図、図２はリモコン装置の回路構成図、図３及び図４はリモコン装置の作動フローチャート、図５及び図６は本発明のリモコンシステムの構成図、図７はリモコン装置の他の例の外観図である。
【００２６】
先ず、図１〜図４を参照して、本発明のリモコン装置の実施の形態について説明する。図１に示したリモコンは、給湯器を遠隔操作するためのものであり、図１（ａ）に示したメインリモコン１（本発明のリモコン装置に相当する）は台所やリビングの壁面に設置される。また、図１（ｂ）に示した浴室リモコン１０（本発明のリモコン装置に相当する）は浴室の壁面に設置される。
【００２７】
メインリモコン１には、使用者が給湯器の作動を遠隔操作するための各種スイッチを備えたスイッチ部２と、給湯器の作動条件（給湯温度等）や作動状態（燃焼中等）を表示する表示部３とが備えられている。なお、開閉扉４の下には、給湯器を運転状態と待機状態とに切換える運転スイッチや時刻設定スイッチ等が設けられており、開閉扉４を開けることにより、これらのスイッチの操作が可能となる。
【００２８】
また、浴室リモコン１０にも、メインリモコン１と同様に、スイッチ部１１と表示部１２とが備えられている。なお、開閉扉１３の下には、運転スイッチや湯張り運転による湯張り量を設定する湯量スイッチ等が設けられており、開閉扉１３を開けることにより、これらのスイッチの操作が可能となる。
【００２９】
また、メインリモコン１と浴室リモコン１０は、使用者のスイッチ操作や給湯器の運転状況に応じて、音声による報知（例えば、「湯張り運転の予約が設定されました」、「湯張りが終了しました」等）を行う機能を有している。そして、音声による報知を行う場合に、使用者の聴力や好みに応じて、出力される報知音声の態様を変更して、報知音声を聞き取り易くする機能を有している。メインリモコン１に備えられた選択スイッチ５及び決定スイッチ６と、浴室リモコン１０に備えられた選択スイッチ１４及び決定スイッチ１５は、使用者が報知音声の態様を変更するためのスイッチである。
【００３０】
図２は、メインリモコン１の回路構成図であり、メインリモコン１は、メインリモコン１の全体的な作動を制御するマイクロコンピュータ２０（以下、マイコン２０という）、報知音声を符号化した音声データを記憶した音声メモリ２１（本発明の記憶手段に相当する）、音声データに記憶された音声データを再生する音声再生回路２２（本発明の音声再生手段に相当する）、音声再生回路２２により再生される音声信号を増幅して出力するスピーカ２３（本発明の音声出力手段に相当する）、スイッチ部２に設けられた各種スイッチの操作状況を検知するスイッチ入力回路２４、マイコン２０から出力される表示データに応じた駆動信号をディスプレイ３に出力する表示駆動回路２５、及び給湯器４０と浴室リモコン１０とサブリモコン４１との間で通信を行なうための通信回路２６を備えている。
【００３１】
そして、マイコン２０は、スピーカ２３から出力される音声信号の出力態様を変更するために、音声変更指示手段３０と、高域増幅指示手段３１とを備えている。なお、音声変更指示手段３０と音声変更指示手段３０による指示に従って音声信号の再生速度と音声データの文節間のポーズ時間を変更する音声再生回路２２の機能とにより本発明の音声変更手段が構成され、高域増幅指示手段３１と高域増幅指示手段３１による指示に従って所定周波数以上の音声信号の出力レベルを設定する音声再生回路２２の機能とにより本発明の高域増幅手段が構成される。
【００３２】
以下、図３及び図４に示したフローチャートに従って、音声変更指示手段３０と高域増幅指示手段３１とによる音声信号の出力態様の変更処理について説明する。
【００３３】
図３のＳＴＥＰ１で選択スイッチ５（図１（ａ）参照）が操作されると、ＳＴＥＰ２に進み、音声変更指示手段３０は、ＳＴＥＰ２及びＳＴＥＰ１０〜ＳＴＥＰ１２からなるループにより、「再生速度変更モード」の処理を実行する。「再生速度変更モード」において、ＳＴＥＰ１１で給湯温度ＤＯＷＮスイッチ７又は給湯温度ＵＰスイッチ８（図１（ａ）参照）が操作されると、それに応じて、音声変更指示手段３０はＳＴＥＰ１２で音声信号の再生速度の設定レベルを変更する。
【００３４】
そして、音声変更指示手段３０は、ＳＴＥＰ１０で決定スイッチ１０が操作されたときに「再生速度変更モード」を終了してＳＴＥＰ１に戻り、また、ＳＴＥＰ２で選択スイッチ５が操作されたときに「再生速度変更モード」を終了してＳＴＥＰ３に進み「ポーズ時間変更モード」に移行する。そして、音声変更指示手段３０は、変更した再生速度の設定レベルを指示する信号を音声再生回路２２に出力し、これにより、音声再生回路２２における音声信号の再生速度が変更される。
【００３５】
なお、「再生速度変更モード」においては、表示部３（図１参照）の「速度」表示が点灯し、再生速度の設定レベルに応じて、表示部３の「レベル」表示の１〜５のうちのいずれかが点灯する。
【００３６】
続くＳＴＥＰ３及びＳＴＥＰ２０〜ＳＴＥＰ２２からなるループにより、音声変更指示手段３０は、「ポーズ時間変更モード」の処理を実行する。「ポーズ時間変更モード」において、ＳＴＥＰ２１で給湯温度ＤＯＷＮスイッチ７又は給湯温度ＵＰスイッチ８が操作されると、それに応じて、音声変更指示手段３０はＳＴＥＰ２２でポーズ時間の設定レベルを変更する。
【００３７】
そして、音声変更指示手段３０は、ＳＴＥＰ２０で決定スイッチ１０が操作されたときに「ポーズ時間変更モード」を終了してＳＴＥＰ１に戻り、また、ＳＴＥＰ３で選択スイッチ５が操作されたときに、「ポーズ時間変更モード」を終了して図４のＳＴＥＰ４に進み「高域出力設定モード」に移行する。そして、音声変更指示３０は、変更されたポーズ時間の設定レベルを指示する信号を音声再生回路２２に出力し、これにより、音声再生回路２２における音声信号中の各文節間のポーズ時間が変更される。
【００３８】
例えば、音声データが「湯張りが終了しました」であったときは、文節「湯張り」，「が」，「終了」，「しました」間のポーズ時間が変更され、ポーズ時間を長くすることにより、聴覚が衰えた高齢者に対して「湯張り」及び「終了」というキーワードを聞き取り易くすることができる。
【００３９】
なお、「ポーズ時間変更モード」においては，表示部３（図１参照）の「ポーズ」表示が点灯し、ポーズ時間の設定レベルに応じて、表示部３の「レベル」表示の１〜５のうちのいずれかが点灯する。
【００４０】
また、高域増幅指示手段３１は、続く図４のＳＴＥＰ４及びＳＴＥＰ３０〜ＳＴＥＰ３２からなるループにより、「高域出力変更モード」の処理を実行する。「高域出力変更モード」において、ＳＴＥＰ３１で給湯温度ＤＯＷＮスイッチ７又は給湯温度ＵＰスイッチ８が操作されると、それに応じて、高域増幅指示手段３１はＳＴＥＰ３２で所定周波数（例えば１５００Ｈｚ）以上の音声信号を増幅するレベルを設定する。そして、高域増幅指示手段３１は、ＳＴＥＰ３０で決定スイッチ６が操作されたときに「高域出力設定モード」を終了してＳＴＥＰ１に戻り、また、ＳＴＥＰ４で選択スイッチ５が操作されたときに、「高域出力設定モード」を終了して図３のＳＴＥＰ２に進み「再生速度変更モード」に移行する。
【００４１】
そして、高域増幅指示手段３１は、変更された高域増幅の設定レベルを指示する信号を音声再生回路２２に出力し、これにより、音声再生回路２２から出力される前記所定周波数以上の音声信号の増幅レベルが変更される。
【００４２】
なお、「高域出力設定モード」においては、表示部３（図１参照）の「高域強調」表示が点灯し、高域増幅の設定レベルに応じて、表示部３の「レベル」表示の１〜５のうちのいずれかが点灯する。
【００４３】
以上説明した「再生速度変更モード」により、スピーカ２３から出力される報知音声の再生速度を変更することによって、例えば高齢の使用者は音声信号の再生速度を下げて聞き取り易くすることができる。また、「ポーズ時間変更モード」により、スピーカ２３から出力される報知音声の文節間のポーズ時間を変更することによって、例えば高齢の使用者は音声報知信号の文節間のポーズを長くして各文節を聞き取り易くすることができる。
【００４４】
さらに、上記「高域出力設定モード」により、スピーカ２３から出力される前記所定周波数以上の報知音声の音量を増大させることによって、一般に高周波数域の音声信号の聞き取り能力が衰え易いとされる高齢者に対して、聞き取り易い報知音声に変更することができる。
【００４５】
なお、図１（ｂ）に示した浴室リモコン１０も、上述したメインリモコン１と同様に、図２に示した回路構成を備え、図３及び図４に示したフローチャートに従って、「再生速度変更モード」、「ポーズ時間変更モード」、及び「高域出力設定モード」の処理を実行する。
【００４６】
次に、本発明のリモコンシステムの実施の形態について説明する。図２を参照して、メインリモコン１（本発明の第１のリモコンに相当する）に備えられたマイコン２０は、変更音声データ送信手段３２、変更条件データ送信手段３３、及び高域出力レベル送信手段３４を有している。
【００４７】
変更音声データ送信手段３２は、前記「再生速度変更モード」において設定された音声信号の再生速度のレベル、及び前記「ポーズ時間変更モード」において設定されたポーズ時間のレベルに基づいて、音声メモリ２１に記憶された音声データ（ＶＡ＿ｄａｔ）を変更した変更音声データ（ＣＶＡ＿ｄａｔ）を生成する。そして、変更音声データ送信手段３２は、生成した変更音声データ（ＣＶＡ＿ｄａｔ）を、通信回路２６を介してサブリモコン４１（本発明の第２のリモコンに相当する）に送信する。
【００４８】
変更音声データ送信手段３２を備えることによって、図５（ａ）に示したように、音声メモリを備えていないサブリモコン４１ａにおいても、スピーカ５３ａから出力される報知音声の出力態様を変更することが可能となる。すなわち、サブリモコン４１ａに備えられたマイコン５１ａは、メインリモコン１から通信回路５０ａを介して受信した変更音声データ（ＣＶＡ＿ｄａｔ）を、そのまま音声再生回路５２ａで再生してスピーカ５３ａから出力する。なお、この場合、サブリモコン４１ａには、メインリモコン１に備えられた選択スイッチ５及び決定スイッチ６を備える必要がない。
【００４９】
また、図５（ｂ）に示したように、音声メモリ５４ｂを備えたサブリモコン４１ｂにおいては、マイコン５１ｂにより、通信回路５０ｂを介してメインリモコンから受信した変更音声データ（ＣＶＡ＿ｄａｔ）を、音声メモリ５４ｂに書き込むことによって、音声メモリ５４ｂに記憶された変更音声データ（ＣＶＡ＿ｄａｔ）を音声再生回路５２で再生してスピーカ５３ｂから出力することができる。
【００５０】
なお、この場合も、サブリモコン４１ｂには、メインリモコン１に備えられた選択スイッチ５及び決定スイッチ６を備える必要がない。ここで、図５（ａ）に示したシステム構成では、音声による報知を行う度に、メインリモコン１からサブリモコン４１ａに変更音声データ（ＣＶＡ＿ｄａｔ）を送信する必要があるが、図５（ｂ）に示したシステム構成では、次に新たな変更音声データ（ＣＶＡ＿ｄａｔ）を受信するまでは、音声メモリ５４ｂに記憶された変更音声データ（ＣＶＡ＿ｄａｔ）を再生すればよい。
【００５１】
また、変更条件データ送信手段３３は、前記「再生速度変更モード」において設定された音声信号の再生速度のレベル、及び前記「ポーズ時間変更モード」において設定されたポーズ時間のレベルを符号化した変更条件データ（ＣＣ＿ｄａｔ）を生成する。そして、変更条件データ送信手段３２は、生成した変更条件データを、通信回路２６を介してサブリモコン４１に送信する。
【００５２】
変更条件データ送信手段３２を備えることによって、図６に示したように、変更条件データ（ＣＣ＿ｄａｔ）を受信したサブリモコン４１ｃにおいては、マイコン５０ｃにより、該変更条件データ（ＣＣ＿ｄａｔ）に応じた音声データ（ＶＡ＿ｄａｔ）の変更条件命令（ＣＣ＿ｃｍｄ）が音声再生回路５２ｃに出力される。
【００５３】
そして、音声再生回路５２ｃは、音声メモリ５４ｃから読み出した音声データ（ＶＡ＿ｄａｔ）を変更条件命令（ＣＣ＿ｄａｔ）に従って変更して再生する。これにより、スピーカ５３ｃからは、変更条件データ（ＣＣ＿ｄａｔ）に応じて再生速度と文節間のポーズ時間とのうちの少なくともいずれか一方が変更された報知音声が出力される。図６に示したシステム構成によれば、変更条件データ（ＣＣ＿ｄａｔ）のデータ長は、前記変更音声データ（ＣＶＡ＿ｄａｔ）のデータ長よりも短くなるため、図５（ａ）に示したシステム構成及び図５（ｂ）に示したシステム構成よりも、再生信号の出力態様を変更するためにメインリモコン１からサブリモコン４１に送信するデータ量が少なくなる。
【００５４】
また、高域出力レベルデータ送信手段３４は、前記「高域出力設定モード」において設定された所定周波数以上の音声信号を増幅するレベルを符号化した高域出力レベルデータ（ＨＡ＿ｄａｔ）を生成する。そして、高域出力レベルデータ送信手段３４は、生成した高域出力レベルデータ（ＨＡ＿ｄａｔ）を、通信回路２６を介してサブリモコン４１に送信する。
【００５５】
図６を参照して、メインリモコン１の高域出力レベルデータ送信手段３４から高域出力レベルデータ（ＨＡ＿ｄａｔ）を受信したサブリモコン４１ｃにおいては、マイコン５１ｃから音声再生回路５２ｃに対して、前記所定周波数以上の音声信号を増幅するレベルを指定する高域増幅レベル指定命令（ＨＡ＿ｃｍｄ）が出力される。
【００５６】
そして、音声再生回路５２ｃは、音声メモリ５４ｃから読み出した音声データ（ＶＡ＿ｄａｔ）を再生する際に、高域増幅レベル指定命令（ＨＡ＿ｃｍｄ）に従って、前記所定周波数以上の音声信号が増幅されるように、スピーカ５３ｃの出力を制御する。これにより、高域出力レベルデータ（ＨＡ＿ｄａｔ）に応じて前記所定周波数以上の部分が増幅された音声がスピーカ５３ｃから出力される。
【００５７】
このように、サブリモコン４１ｃは、メインリモコン１から送信される高域出力レベルデータ（ＨＡ＿ｄａｔ）に応じて、音声再生回路５２ｃからスピーカ５３ｃを介して出力される音声における前記所定周波数以上の音声信号を増幅レベルを設定する。そのため、サブリモコン４１ｃには、高域増幅レベルを設定するためのスイッチを設ける必要がない。
【００５８】
なお、本実施の形態では、図１に示した選択スイッチ５，１４の操作に応じて、「再生速度変更モード」、「ポーズ時間変更モード」、及び「高域出力設定モード」を切換えるようにしたが、各モードを選択するためのスイッチを、各モードごとに専用に設けてもよい。
【００５９】
また、本実施の形態では、図１に示したように、選択スイッチ５，１４及び決定スイッチ６，１５を、常時露出させて設けることにより、音声信号の変更操作が簡単にできるようにしたが、図７に示したように、選択スイッチ５，１４及び決定スイッチ６，１５を、開閉扉４，１３の下に設けてもよい。使用者が報知音声を変更する頻度が低い場合は、このように、選択スイッチ５，１４及び決定スイッチ６，１５を開閉扉４，１３の下に設けて、他の使用頻度が高いスイッチを露出して設けることにより、使用者の使い勝手を向上させることができる。
【００６０】
また、本実施の形態では、図１を参照して、メインリモコン１のマイコン２０に、変更音声データ送信手段３２と変更条件データ送信手段３３と高域出力レベルデータ送信手段３４とを備えたが、これらを備えない場合、及びこれらのうちの少なくともいずれか１つを備える場合においても、本発明の効果を得ることができる。
【００６１】
また、本実施の形態では、給湯器を遠隔操作するリモコンを示したが、本発明のリモコン装置及びリモコンシステムは、音声による出力を行う機能を有するリモコンであれば、遠隔操作の対象とする装置の種類には限られない。
【００６２】
また、本実施の形態においては、音声データ（ＶＡ＿ｄａｔ）を記憶した音声メモリをメインリモコン１又はサブリモコン４１に設けたが、該音声メモリを給湯器４０に設け、音声による報知を行うときに、給湯器４０からメインリモコン１及びサブリモコン４１に音声データ（ＶＡ＿ｄａｔ）を送信するようにしてもよい。
【図面の簡単な説明】
【図１】本発明のリモコン装置の外観図。
【図２】リモコン装置の回路構成図。
【図３】リモコン装置の作動フローチャート。
【図４】リモコン装置の作動フローチャート。
【図５】本発明のリモコンシステムの構成図。
【図６】本発明のリモコンシステムの構成図。
【図７】本発明のリモコン装置の他の例の外観図。
【符号の説明】
１…メインリモコン、２…スイッチ部、３…表示部、４…開閉扉、５…選択スイッチ、６…決定スイッチ、１０…浴室リモコン、２１…音声メモリ、２２…音声再生回路、３０…音声変更指示手段、３１…高域増幅指示手段、３２…変更音声データ送信手段、３３…変更条件データ送信手段、３４…高域出力レベルデータ送信手段、４０…給湯器、４１…サブリモコン
【図１】
2004347799.tif 000003
【図２】
2004347799.tif 000004
【図３】
2004347799.tif 000005
【図４】
2004347799.tif 000006
【図５】
2004347799.tif 000007
【図６】
2004347799.tif 000008
【図７】
2004347799.tif 000009